(57)【要約】【課題】取り付けるヒュージブルリンクやヒューズなどの保護素子の種類や品番を容易に変更できる配線ユニットの組立方法、配線ユニット及び該配線ユニットを備えた電気接続箱を提供する。【解決手段】電気接続箱は分配ユニットと配線ユニット１２を備えている。分配ユニットは電源からの電力を各電子機器に分配する。配線ユニット１２は自動車のシステムに対応して該システム毎に設けられている。配線ユニット１２は複数の種類のヒュージブルリンク及びヒューズを収容するケース３３，４４から必要なケース３３，４４を選択し複数の種類の端子３４，４５から必要な端子３４，４５を選択してこれらを印刷配線板２２に取り付けて組み立てられる。【選択図】図９
2006129608.tif 000002
【特許請求の範囲】
【請求項１】
絶縁性の基板本体と、この基板本体上に配された導体パターンと、を備えた基板と、
前記基板に取り付けられているとともに、前記導体パターンと電気的に接続されたリレーと、
前記基板に取り付けられているとともに、前記導体パターンと電気的に接続された保護素子と、を備えた配線ユニットの組み立て方法において、
前記導体パターンに取り付けられて、前記導体パターンと前記保護素子とを接続する接続部材が、前記保護素子の種類に応じて複数種設けられており、
複数種の接続部材から前記基板に取り付けられる保護素子の種類に応じた接続部材を選択して、該選択した接続部材を前記基板に取り付けることを特徴とする配線ユニットの組立方法。
【請求項２】
絶縁性の基板本体と、この基板本体上に配された導体パターンと、を備えた基板と、
前記基板に取り付けられているとともに、前記導体パターンと電気的に接続されたリレーと、
前記基板に取り付けられているとともに、前記導体パターンと電気的に接続された保護素子と、を備えた配線ユニットにおいて、
前記導体パターンに取り付けられて、前記導体パターンと前記保護素子とを接続する接続部材が、前記保護素子の種類に応じて複数種設けられており、
複数種の接続部材から前記基板に取り付けられる保護素子の種類に応じた接続部材を選択して、該選択した接続部材が前記基板に取り付けられたことを特徴とする配線ユニット。
【請求項３】
前記保護素子を取り付けかつ前記基板本体に取り付けられる素子用ケースが、前記保護素子の種類に応じて複数種設けられており、
複数種の素子用ケースから前記基板に取り付けられる保護素子の種類に応じた素子用ケースを選択して、該選択した素子用ケースが前記基板に取り付けられたことを特徴とする請求項２記載の配線ユニット。
【請求項４】
前記素子用ケースに設けられた係止部と、
前記基板本体に設けられ、かつ前記係止部が係止するとともに、前記係止部が係止することで前記基板本体に前記素子用ケースを取り付ける係止受け部と、を備え、
前記係止受け部は、前記複数種の素子用ケースのうちの全ての種類の素子用ケースを取り付け可能な構成となっていることを特徴とする請求項３記載の配線ユニット。
【請求項５】
前記素子用ケースは、前記保護素子を少なくとも一つ収容することを特徴とする請求項３または請求項４記載の配線ユニット。
【請求項６】
前記リレーと、前記保護素子とを少なくとも一つずつ備えたことを特徴とする請求項２ないし請求項５のうちいずれか一項に記載の配線ユニット。
【請求項７】
複数のシステムを備えた自動車に搭載されて、電源からの電力を各システムの電子機器に分配するために用いられる電気接続箱を構成するとともに、
前記電気接続箱の前記電源からの電力を各システムに分配する分配ユニットにより分配された電力を各電子機器に供給するとともに、前記システム毎に設けられていることを特徴とする請求項２ないし請求項６のうちいずれか一項に記載の配線ユニット。
【請求項８】
複数のシステムを備えた自動車に搭載されて、電源からの電力を各システムの電子機器に分配するために用いられる電気接続箱において、
前記電源からの電力を各システムに分配する分配ユニットと、
請求項２ないし請求項６のうちいずれか一項に記載の配線ユニットとを備え、
前記配線ユニットは、前記分配ユニットにより分配された電力を各電子機器に供給するとともに、前記システム毎に設けられていることを特徴とする電気接続箱。
【発明の詳細な説明】
【技術分野】
【０００１】
本発明は、自動車などに搭載される各電子機器に電力を供給するためなどに用いられる電気接続箱を構成する配線ユニットの組立方法、配線ユニット及び該配線ユニットを備えた電気接続箱に関する。
【背景技術】
【０００２】
自動車には、多種多様な電子機器が搭載される。このため、自動車は、前記電子機器に電力を供給するために、ワイヤハーネスを配索しているとともに、電気接続箱を搭載してきた。
【０００３】
ワイヤハーネスは、複数の電線とコネクタなどからなる。電線は、導電性の芯線と、該芯線を被覆した絶縁性の被覆部とを備えた所謂被覆電線である。コネクタは、電線の端末などに取り付けられかつ芯線と接続する端子金具と、該端子金具を収容する箱状のコネクタハウジングとを備えている。前記ワイヤハーネスのコネクタは、電気接続箱のコネクタや各電子機器のコネクタ、電源などと接続する。
【０００４】
前記電気接続箱は、箱本体と、該箱本体内に収容される配線盤とを備えている。箱本体には、ワイヤハーネスのコネクタと接続するためのコネクタ部や、ヒューズ、ヒュージブルリンク及びリレーを取り付ける電気部品装着部が設けられている。配線盤は、互いに重ねられる複数の絶縁性の基板と、基板間に配されるバスバなどを備えている。配線盤は、前記バスバが、コネクタ部に取り付けるコネクタと、電気部品装着部に取り付けられるヒューズ、ヒュージブルリンク及びリレーと、を予め定められたパターンにしたがって、電気的に接続する。
【０００５】
前述した電気接続箱は、ワイヤハーネスから供給される電源からの電力を、前述したヒューズ又はヒュージブルリンクと、リレーとに順に流した後、ワイヤハーネスを介して、前記自動車の各システムの各電子機器に供給する。
【０００６】
前述した自動車には、ユーザから種々の要望が寄せられている。このため、前述した自動車は、細かな仕様の変更が求められている。勿論、自動車は、仕様の変更により、搭載される電子機器が変更される。一方、自動車は、車種やグレードなどが異なっても、搭載される電子機器が変更される。
【０００７】
前述した電子機器の細かな変更に対応するために、本発明の出願人は、前述した配線盤を複数の配線ユニットから構成し、該配線ユニットを自動車のシステム毎に対応させることを提案している。この提案では、電子機器が変更されたシステムに対応する配線ユニットのヒュージブルリンクやヒューズなどの保護素子を変更することで、電子機器の変更により電気接続箱全体を変更することを防止できるようにしている。
【発明の開示】
【発明が解決しようとする課題】
【０００８】
前述した配線ユニットは、前述した自動車の細かな仕様の変更に対応するために、取り付けるヒュージブルリンクやヒューズなどの保護素子の種類や品番を容易に変更できることが望まれている。
【０００９】
したがって、本発明の目的は、取り付けるヒュージブルリンクやヒューズなどの保護素子の種類や品番を容易に変更できる配線ユニットの組立方法、配線ユニット及び該配線ユニットを備えた電気接続箱を提供することにある。
【課題を解決するための手段】
【００１０】
前述した課題を解決し目的を達成するために、請求項１に記載の本発明の配線ユニットの組立方法は、絶縁性の基板本体と、この基板本体上に配された導体パターンと、を備えた基板と、前記基板に取り付けられているとともに、前記導体パターンと電気的に接続されたリレーと、前記基板に取り付けられているとともに、前記導体パターンと電気的に接続された保護素子と、を備えた配線ユニットの組み立て方法において、前記導体パターンに取り付けられて、前記導体パターンと前記保護素子とを接続する接続部材が、前記保護素子の種類に応じて複数種設けられており、複数種の接続部材から前記基板に取り付けられる保護素子の種類に応じた接続部材を選択して、該選択した接続部材を前記基板に取り付けることを特徴としている。
【００１１】
請求項２に記載の本発明の配線ユニットは、絶縁性の基板本体と、この基板本体上に配された導体パターンと、を備えた基板と、前記基板に取り付けられているとともに、前記導体パターンと電気的に接続されたリレーと、前記基板に取り付けられているとともに、前記導体パターンと電気的に接続された保護素子と、を備えた配線ユニットにおいて、前記導体パターンに取り付けられて、前記導体パターンと前記保護素子とを接続する接続部材が、前記保護素子の種類に応じて複数種設けられており、複数種の接続部材から前記基板に取り付けられる保護素子の種類に応じた接続部材を選択して、該選択した接続部材が前記基板に取り付けられたことを特徴としている。
【００１２】
請求項３に記載の本発明の配線ユニットは、請求項２に記載の配線ユニットにおいて、前記保護素子を取り付けかつ前記基板本体に取り付けられる素子用ケースが、前記保護素子の種類に応じて複数種設けられており、複数種の素子用ケースから前記基板に取り付けられる保護素子の種類に応じた素子用ケースを選択して、該選択した素子用ケースが前記基板に取り付けられたことを特徴としている。
【００１３】
請求項４に記載の本発明の配線ユニットは、請求項３に記載の配線ユニットにおいて、前記素子用ケースに設けられた係止部と、前記基板本体に設けられ、かつ前記係止部が係止するとともに、前記係止部が係止することで前記基板本体に前記素子用ケースを取り付ける係止受け部と、を備え、前記係止受け部は、前記複数種の素子用ケースのうちの全ての種類の素子用ケースを取り付け可能な構成となっていることを特徴としている。
【００１４】
請求項５に記載の本発明の配線ユニットは、請求項３または請求項４に記載の配線ユニットにおいて、前記素子用ケースは、前記保護素子を少なくとも一つ収容することを特徴としている。
【００１５】
請求項６に記載の本発明の配線ユニットは、請求項２ないし請求項５のうちいずれか一項に記載の配線ユニットにおいて、前記リレーと、前記保護素子とを少なくとも一つずつ備えたことを特徴としている。
【００１６】
請求項７に記載の本発明の配線ユニットは、請求項２ないし請求項６のうちいずれか一項に記載の配線ユニットにおいて、複数のシステムを備えた自動車に搭載されて、電源からの電力を各システムの電子機器に分配するために用いられる電気接続箱を構成するとともに、前記電気接続箱の前記電源からの電力を各システムに分配する分配ユニットにより分配された電力を各電子機器に供給するとともに、前記システム毎に設けられていることを特徴としている。
【００１７】
請求項８に記載の本発明の電気接続箱は、複数のシステムを備えた自動車に搭載されて、電源からの電力を各システムの電子機器に分配するために用いられる電気接続箱において、前記電源からの電力を各システムに分配する分配ユニットと、請求項２ないし請求項６のうちいずれか一項に記載の配線ユニットとを備え、前記配線ユニットは、前記分配ユニットにより分配された電力を各電子機器に供給するとともに、前記システム毎に設けられていることを特徴としている。
【００１８】
請求項１に記載した本発明の配線ユニットの組立方法によれば、接続部材が、保護素子の種類に対応して複数種類設けられており、これらの種類の接続部材から選択して基板に取り付けることができる。
【００１９】
なお、本明細書に記した保護素子とは、所謂ヒューズとヒュージブルリンクとを示している。
【００２０】
請求項２に記載した本発明の配線ユニットによれば、接続部材が、保護素子の種類に対応して複数種類設けられており、これらの種類の接続部材から選択して基板に取り付けることができる。
【００２１】
請求項３に記載した本発明の配線ユニットによれば、素子用ケースが、保護素子の種類に対応して複数種類設けられており、これらの種類の素子用ケースから選択して基板に取り付けることができる。
【００２２】
請求項４に記載した本発明の配線ユニットによれば、係止部を係止受け部に係止させることで、任意の種類の素子用ケースを基板に取り付けることができる。
【００２３】
請求項５に記載した本発明の配線ユニットによれば、素子用ケースが少なくとも一つの保護素子を収容するので、保護素子を基板に確実に取り付けることができる。
【００２４】
請求項６に記載した本発明の配線ユニットによれば、リレーと保護素子を少なくとも一つずつ備えているので、確実に電力をヒューズに流してからリレーを通して電子機器などに供給できる。
【００２５】
請求項７に記載した本発明の配線ユニットによれば、自動車のシステム毎に設けられているので、対応するシステムの電子機器に変更がある時のみ、保護素子などを変更すれば良い。
【００２６】
請求項８に記載した本発明の電気接続箱によれば、分配ユニットにより分配された電力を各電子機器に供給する配線ユニットが、自動車の各システムに対応して設けられている。このため、車種、グレード及びユーザなどの要望により電子機器の変更のあるシステムに対応する配線ユニットの保護素子などを変更することにより、前述した電子機器の変更に対応することができる。
【発明の効果】
【００２７】
請求項１に記載の本発明は、接続部材が、保護素子の種類に対応して複数種類設けられており、これらの種類の接続部材から選択して基板に取り付けることができる。接続部材を変更することで、基板に取り付ける保護素子を容易に変更できる。したがって、基板に取り付ける保護素子の種類や品番を容易に変更できる。
【００２８】
請求項２に記載の本発明は、接続部材が、保護素子の種類に対応して複数種類設けられており、これらの種類の接続部材から選択して基板に取り付けることができる。接続部材を変更することで、基板に取り付ける保護素子を容易に変更できる。したがって、基板に取り付ける保護素子の種類や品番を容易に変更できる。
【００２９】
請求項３に記載の本発明は、素子用ケースが、保護素子の種類に対応して複数種類設けられており、これらの種類の素子用ケースから選択して基板に取り付けることができる。接続部材にくわえ素子用ケースを変更することで、基板に取り付ける保護素子を容易に変更できる。したがって、基板に取り付ける保護素子の種類や品番を容易に変更できる。
【００３０】
請求項４に記載の本発明は、係止部を係止受け部に係止させることで、任意の種類の素子用ケースを基板に取り付けることができる。したがって、基板に取り付ける保護素子の種類や品番を確実に変更できる。
【００３１】
請求項５に記載の本発明は、素子用ケースが少なくとも一つの保護素子を収容するので、保護素子を基板に確実に取り付けることができる。
【００３２】
請求項６に記載の本発明は、リレーと保護素子を少なくとも一つずつ備えているので、確実に電力をヒューズに流してからリレーを通して電子機器などに供給できる。
【００３３】
請求項７に記載の本発明は、自動車のシステム毎に設けられているので、対応するシステムの電子機器に変更がある時のみ、保護素子などを変更すれば良い。
【００３４】
請求項８に記載の本発明は、配線ユニットを自動車の各システムに対応して設けているため、車種、グレード及びユーザなどの要望により電子機器の変更のあるシステムに対応する配線ユニットの保護素子などを変更することにより、前述した電子機器の変更に対応することができる。則ち、電子機器の変更のあるシステムに対応した配線ユニットのみ変更することで、電子機器の変更に対応することができる。したがって、電子機器の変更による変更しなければならない部分を少なくすることができるので、電気接続箱のコストの高騰を抑制できる。
【発明を実施するための最良の形態】
【００３５】
本発明の一実施形態にかかる電気接続箱を、図１ないし図９を参照して説明する。図１などに示す電気接続箱１は、ワイヤハーネス２（図１に一部示す）と協働して、自動車に搭載されて、該自動車の発電機やバッテリなどの電源３（図２に示す）からの電力を、前記自動車に搭載される各電子機器４（図２に示す）に供給（分配）するものである。
【００３６】
前記ワイヤハーネス２は、図１に示すように、複数の電線５と、複数のコネクタ６などを備えている。なお、図１では、コネクタ６を二つのみ示し、他のコネクタ６を省略している。電線５は、導電性の芯線と、該芯線を被覆する絶縁性の被覆部とを備えた所謂被覆電線である。コネクタ６は、電線５の端末などに取り付けられて、該電線５の芯線と電気的に接続する端子金具と、コネクタハウジング６ａとを備えている。端子金具は、導電性の板金を折り曲げるなどして、形成される。コネクタハウジング６ａは、絶縁性の合成樹脂からなり箱状に形成されている。コネクタハウジング６ａは、端子金具を収容する端子収容室を備えている。コネクタハウジング６ａは、電気接続箱１の後述するコネクタブロック１３のコネクタ部２９や、各電子機器４に設けられたコネクタなどと結合する。
【００３７】
前述したワイヤハーネス２は、前述したコネクタ６のうち一部が、電気接続箱１のコネクタブロック１３のコネクタ部２９などと結合し、前述したコネクタ６のうち他の一部が、前述した電子機器４のコネクタなどと結合する。こうして、ワイヤハーネス２は、前述した自動車に配索（配線）されて、前述した電源３などから供給される電力を、各電子機器４に供給する。
【００３８】
また、前述した自動車は、例えば、電子制御燃料噴射装置（以下燃料噴射装置と記す）、アンチロックブレーキシステム（Antilock Brake System：以下ＡＢＳと記す）や、各種のファンを駆動するシステム（以下ＦＡＮと記す）などの各種のシステム（系統）を備えている。これらのシステムは、それぞれ、モータ、ポンプなどの各種の電子機器４を備えている。また、これらのシステムは、車種が異なったり、同一車種であってもグレードが異なったり、ユーザの要望により、前述した電子機器４が異なることがある。
【００３９】
電気接続箱１は、図１に示すように、ケース７と、蓋体８と、ロアケース９と、半導体モジュール１０と、分配ユニット１１と、複数の配線ユニット１２と、コネクタブロック１３とを備えている。
【００４０】
ケース７は、扁平な筒状のケース本体１４と、該ケース本体１４と一体に形成された放熱部材１５とを備えている。ケース本体１４は、合成樹脂からなる。ケース本体１４には互いに相対する一対の開口部１６が設けられている。これらの開口部１６は、ケース本体１４の図１中の上方に位置する外壁の縁に開口している。
【００４１】
放熱部材１５は、例えば、アルミダイカストなどの熱伝導性を有する金属からなる。放熱部材１５は、平板状の板部１７と、この板部１７からケース本体１４則ちケース７の外側に向かって突出した複数のフィン１８とを一体に備えている。板部１７は、外縁部がケース本体１４の外壁内に埋設されており、中央部が露出している。放熱部材１５は、板部１７に伝えられたケース本体１４則ちケース７内の熱を、フィン１８に伝えて、該フィン１８を介して、ケース本体１４則ちケース７外に放出（放熱）する。また、前述した放熱部材１５は、周知のインサート成型により、前述したケース本体１４と一体に成型されている。
【００４２】
蓋体８は、合成樹脂からなり、平板状に形成されている。蓋体８は、ケース本体１４の図１中奥側に位置する開口部１６を塞ぐ格好で、前記ケース本体１４に取り付けられる。蓋体８には、図示しないスリットが複数開口している。スリットは、ケース本体１４則ちケース７内の熱を、ケース本体１４則ちケース７外に放出（放熱）する。
【００４３】
ロアケース９は、合成樹脂からなり、有低筒状に形成されている。ロアケース９は、ケース７のケース本体１４の図１中下方に位置する一方の端部に、該ケース本体１４を塞ぐ格好で取り付けられる。また、ロアケース９には、前述した電源３と接続した電源ケーブル１９をケース本体１４則ちケース７内に導くための切欠き２０が設けられている。
【００４４】
半導体モジュール１０は、扁平な箱状のモジュール本体２１と、このモジュール本体２１内に収容された複数の印刷配線板などを備えている。印刷配線板には、半導体ＩＣ化されたリレーが実装されている。半導体モジュール１０は、放熱部材１５の板部１７に接触した状態で、ケース本体１４内に収容される。半導体モジュール１０は、前述した電源ケーブル１９と接続するとともに、コネクタブロック１３を介してワイヤハーネス２と接続する。半導体モジュール１０は、前記電源ケーブル１９などから供給される電力を、コネクタブロック１３とワイヤハーネス２とを介して各電子機器４に供給する。
【００４５】
分配ユニット１１は、複数の配線ユニット１２が取り付けられて、ケース本体１４則ちケース７内に収容される。分配ユニット１１には、電源ケーブル１９が接続する。分配ユニット１１は、電源ケーブル１９を介して、電源３から電力が供給される。分配ユニット１１は、前述した電源３からの電力を全ての配線ユニット１２（則ち各システム）に分配（供給）する。
【００４６】
配線ユニット１２は、それぞれ、前述したシステムと対応して、該システム毎に設けられている。配線ユニット１２のうちの図２中最も上方に位置する配線ユニット（以下、第１配線ユニットと呼び、符号１２ａで示す）は、前述した燃料噴射装置と対応している。配線ユニット１２のうちの中央に位置する配線ユニット（以下、第２配線ユニットと呼び、符号１２ｂで示す）は、前述したＡＢＳと対応している。配線ユニット１２のうちの最も下方に位置する配線ユニット（以下、第３配線ユニットと呼び、符号１２ｃで示す）は、前述したＦＡＮと対応している。図２では、配線ユニット１２ａ，１２ｂ，１２ｃを三つのみ示し、他を省略している。
【００４７】
第１及び第３配線ユニット１２ａ，１２ｃは、図３（ａ）及び図３（ｂ）に示すように、それぞれ、基板としての印刷配線板２２と、保護素子としての二つのヒュージブルリンク２３と、二つのリレー２４と、二つのコネクタ２５と、素子用ケースとしての二つのリンク用ケース３３と、接続部材としてのリンク用端子３４とを備えている。
【００４８】
印刷配線板２２は、図４に示すように、絶縁性の基板本体２６と、該基板本体２６の表面に予め定められたパターンにしたがって形成された導体パターン３０とを備えている。導体パターン３０は、銅又は銅合金などの導電性の金属からなり、箔状に形成されて、前記基板本体２６の表面に貼り付けられている。
【００４９】
また、印刷配線板２２の基板本体２６の図５中手前側の外縁部には、係止受け部３１が設けられている。係止受け部３１は、複数の孔３２を備えている。孔３２は、印刷配線板２２の基板本体２６を貫通しており、互いに平面形状が等しく形成されている。孔３２には、リンク用ケース３３の後述する係止アーム３６に設けられた係止突起４１と、後述するヒューズ用ケース４４の係止アーム４７に設けられた係止突起５２とが係止可能である。複数の孔３２は、直線上に等間隔に並べられている。また、複数の孔３２の最も近い印刷配線板２２の基板本体２６の外縁からの距離は、互いに等しい。
【００５０】
前述した構成により、係止受け部３１は、任意の孔３２にリンク用ケース３３の後述する係止アーム３６に設けられた係止突起４１と後述するヒューズ用ケース４４の係止アーム４７に設けられた係止突起５２とを係止させることを可能とすることで、全ての種類のケース３３，４４を印刷配線板２２の基板本体２６に取り付け可能としている。
【００５１】
ヒュージブルリンク２３とリレー２４とコネクタ２５とは、それぞれ、印刷配線板２２に取り付けられ、かつ導体パターン３０と接続している。ヒュージブルリンク２３とリレー２４とコネクタ２５は、導体パターン３０により以下に示すように相互に接続されている。ヒュージブルリンク２３には、それぞれ、前述した分配ユニット１１などを介して電源３からの電力が供給される。ヒュージブルリンク２３は、電源３からの電力の電流値が予め定められた値を超えると、溶断する可溶体を備えている。ヒュージブルリンク２３は、可溶体が溶断することで、予め定められた電流値を越える電力が、リレー２４を介して各電子機器４に供給されることを規制する。
【００５２】
リレー２４は、ヒュージブルリンク２３と接続しており、ヒュージブルリンク２３より前述した電源３からの電力が流れる方向の下流側に配されている。コネクタ２５は、リレー２４と接続しており、リレー２４より前述した電源３からの電力が流れる方向の下流側に配されている。コネクタ２５は、コネクタブロック１３のコネクタ部２９と結合する。
【００５３】
リンク用ケース３３は、例えば、絶縁性の合成樹脂からなり、図４に示すように、有底筒状のケース本体３５と、係止部としての係止アーム３６とを備えている。ケース本体３５は、平板状の底部３７と、底部３７の外縁から立設した筒部３８とを一体に備えている。ケース本体３５は、内側に所定の品番のヒュージブルリンク２３を収容する。ケース本体３５の底部３７には、リンク用端子３４を通すことのできる孔３９が貫通している。
【００５４】
係止アーム３６は、ケース本体３５の筒部３８に一端が連なり、かつ筒部３８の外表面に沿って延びた可撓性アーム４０と、係止突起４１とを一体に備えている。可撓性アーム４０は、他端がケース本体３５の筒部３８に接離するように弾性変形自在となっている。係止突起４１は、可撓性アーム４０から筒部３８に向かって凸に形成されている。係止突起４１は、前述した係止受け部３１の全ての孔３２に侵入可能である。前述した構成の係止アーム３６は、係止突起４１が係止受け部３１の孔３２に侵入することで、係止受け部３１に係止する。
【００５５】
前述した構成のリンク用ケース３３は、ヒュージブルリンク２３の品番が異なると、前述したケース本体３５の外形などが異なる。また、リンク用ケース３３は、ヒュージブルリンク２３の品番に応じて、例えばケース本体３５の外形などが異なる複数の種類が設けられている。リンク用ケース３３は、係止アーム３６が係止受け部３１に係止して、印刷配線板２２に取り付けられるとともに、ヒュージブルリンク２３を収容して、該ヒュージブルリンク２３を印刷配線板２２の基板本体２６に取り付ける。このように、リンク用ケース３３は、少なくともヒュージブルリンク２３を一つ収容する。
【００５６】
リンク用端子３４は、板金を折り曲げるなどして得られる。リンク用端子３４は、長手方向の一端部にリンク接続部４２を設け、他端部に基板接続部４３を設けている。リンク用端子３４は、リンク接続部４２と基板接続部４３とに亘って則ち全長に亘って、幅が一定の帯状に形成されている。リンク接続部４２は、リンク用ケース３３内に侵入して、ヒュージブルリンク２３と接続する。基板接続部４３は、印刷配線板２２の導体パターン３０に重ねられ、例えば半田などを用いたろう付けにより該導体パターン３０に取り付けられる。
【００５７】
前述したリンク用端子３４は、リンク接続部４２がヒュージブルリンク２３と接続し、基板接続部４３が印刷配線板２２の導体パターン３０に取り付けられることで、導体パターン３０とヒュージブルリンク２３とを接続する。リンク用端子３４は、ヒュージブルリンク２３の品番が異なると、外形などが異なる。また、リンク用端子３４は、ヒュージブルリンク２３の品番に応じて、例えば外形などが異なる複数の種類が設けられている。
【００５８】
前述した構成の第１配線ユニット１２ａは、分配ユニット１１を介して供給された電源３からの電力を、ヒュージブルリンク２３と、リレー２４と、コネクタ２５とに順に流して、燃料噴射装置の各電子機器４に供給する。第３配線ユニット１２ｃは、分配ユニット１１を介して供給された電源３からの電力を、ヒュージブルリンク２３と、リレー２４と、コネクタ２５とに順に流して、ＦＡＮの各電子機器４に供給する。
【００５９】
第２配線ユニット１２ｂは、図６（ａ）及び図６（ｂ）に示すように、基板としての印刷配線板２２と、保護素子としての二つのヒュージブルリンク２３と、二つのリレー２４と、二つのコネクタ２５と、保護素子としての二つのヒューズ２７と、素子用ケースとしての二つのリンク用ケース３３と、素子用ケースとしての二つのヒューズ用ケース４４と、接続部材としての二つのリンク用端子３４と、接続部材としての二つのヒューズ用端子４５とを備えている。
【００６０】
印刷配線板２２は、前述した第１及び第３配線ユニット１２ａ，１２ｃの印刷配線板２２と構成が等しいので、同一符号を付して説明を省略する。なお、前述した第１及び第３配線ユニット１２ａ，１２ｃの係止受け部３１と、第２配線ユニット１２ｂの係止受け部３１（図８に示す）とは、互いに形状が等しい。このように、全ての配線ユニット１２ａ，１２ｂ，１２ｃの係止受け部３１を等しく形成することで、任意の配線ユニット１２ａ，１２ｂ，１２ｃの印刷配線板２２の基板本体２６の係止受け部３１の任意の位置（孔３２）に、任意の種類のケース３３，４４を取り付けることができるようにしている。
【００６１】
ヒュージブルリンク２３とリレー２４とコネクタ２５とヒューズ２７は、それぞれ、印刷配線板２２に取り付けられ、かつ導体パターン３０と接続している。ヒュージブルリンク２３とリレー２４とコネクタ２５とヒューズ２７は、導体パターン３０により以下に示すように相互に接続されている。ヒュージブルリンク２３には、それぞれ、前述した分配ユニット１１などを介して電源３からの電力が供給される。ヒュージブルリンク２３は、電源３からの電力の電流値が予め定められた値を超えると、溶断する可溶体を備えている。ヒュージブルリンク２３は、可溶体が溶断することで、予め定められた電流値の電力が、リレー２４を介して各電子機器４に供給されることを規制する。
【００６２】
リレー２４は、ヒュージブルリンク２３と接続しており、ヒュージブルリンク２３より前述した電源３からの電力が流れる方向の下流側に配されている。コネクタ２５は、リレー２４と接続しており、リレー２４より前述した電源３からの電力が流れる方向の下流側に配されている。コネクタ２５は、コネクタブロック１３のコネクタ部２９と結合する。
【００６３】
また、二つのリレー２４のうち図２中に上方に記した一方のリレー２４には、コネクタブロック１３とワイヤハーネス２などを介して、二つの電子機器４が接続する。ヒューズ２７は、前述した一方のリレー２４と各電子機器４との間、則ち前述した一方のリレー２４とコネクタ２５との間に設けられている。ヒューズ２７は、電源３からの電力の電流値が予め定められた値を超えると、溶断する可溶体を備えている。ヒューズ２７は、可溶体が溶断することで、予め定められた電流値を越える電力が、各電子機器４に供給されることを規制する。
【００６４】
リンク用ケース３３とリンク用端子３４は、前述した第１及び第３配線ユニット１２ａ，１２ｃのリンク用ケース３３とリンク用端子３４と構成が等しいので、同一符号を付して説明を省略する。
【００６５】
ヒューズ用ケース４４は、例えば、絶縁性の合成樹脂からなり、図７及び図８に示すように、有底筒状のケース本体４６と、係止部としての係止アーム４７とを備えている。ケース本体４６は、平板状の底部４８と、底部４８の外縁から立設した筒部４９とを一体に備えている。ケース本体４６は、内側に所定の品番のヒューズ２７を収容する。ケース本体４６の底部４８には、ヒューズ用端子４５を通すことのできる孔５０が貫通している。このように、ヒューズ用ケース４４は、少なくともヒューズ２７を一つ収容する。
【００６６】
係止アーム４７は、ケース本体４６の筒部４９に一端が連なり、かつ筒部４９の外表面に沿って延びた可撓性アーム５１と、係止突起５２とを一体に備えている。可撓性アーム５１は、他端がケース本体４６の筒部４９に接離するように弾性変形自在となっている。係止突起５２は、可撓性アーム５１から筒部４９に向かって凸に形成されている。係止突起５２は、前述した係止受け部３１の全ての孔３２に侵入可能である。前述した構成の係止アーム４７は、係止突起５２が係止受け部３１の孔３２に侵入することで、係止受け部３１に係止する。
【００６７】
前述した構成のヒューズ用ケース４４は、ヒューズ２７の品番が異なると、前述したケース本体４６の外形などが異なる。また、ヒューズ用ケース４４は、ヒューズ２７の品番に応じて、例えばケース本体４６の外形などが異なる複数の種類が設けられている。ヒューズ用ケース４４は、係止アーム４７が係止受け部３１に係止して、印刷配線板２２に取り付けられるとともに、ヒューズ２７を収容して、該ヒューズ２７を印刷配線板２２の基板本体２６に取り付ける。
【００６８】
ヒューズ用端子４５は、板金を折り曲げるなどして得られる。ヒューズ用端子４５は、長手方向の一端部にヒューズ接続部５３を設け、他端部に基板接続部５４を設けている。ヒューズ用端子４５は、ヒューズ接続部５３と基板接続部５４とに亘って則ち全長に亘って、幅が一定の帯状に形成されている。ヒューズ接続部５３には、基板接続部５４から離れた側の縁に開口したスリット５５が形成されている。ヒューズ接続部５３は、所謂音叉状に形成されている。ヒューズ接続部５３は、ヒューズ用ケース４４内に侵入して、ヒューズ２７の端子を前述したスリット５５内に挿入して、該ヒューズ２７と接続する。基板接続部５４は、印刷配線板２２の導体パターン３０に重ねられ、例えば半田などを用いたろう付けにより該導体パターン３０に取り付けられる。
【００６９】
前述したヒューズ用端子４５は、ヒューズ接続部５３がヒューズ２７と接続し、基板接続部５４が印刷配線板２２の導体パターン３０に取り付けられることで、導体パターン３０とヒューズ２７とを接続する。ヒューズ用端子４５は、ヒューズ２７の品番が異なると、外形などが異なる。また、ヒューズ用端子４５は、ヒューズ２７の品番に応じて、例えば外形などが異なる複数の種類が設けられている。
【００７０】
前述した構成の第２配線ユニット１２ｂは、分配ユニット１１を介して供給された電源３からの電力を、ヒュージブルリンク２３と、リレー２４と、ヒューズ２７と、コネクタ２５とに順に流して、ＡＢＳの各電子機器４に供給する。
【００７１】
前述した構成の配線ユニット１２ａ，１２ｂ，１２ｃは、少なくとも一つのヒュージブルリンク２３と、少なくとも一つのリレー２４を備えている。配線ユニット１２ａ，１２ｂ，１２ｃは、分配ユニット１１に取り付けられて、前記ケース７のケース本体１４内に収容される。
【００７２】
また、前述した構成の配線ユニット１２ａ，１２ｂ，１２ｃは、対応するシステムが互いに異なるので、電力を供給する電子機器４も勿論互いに異なる。このため、配線ユニット１２ａ，１２ｂ，１２ｃは、前述したヒュージブルリンク２３、リレー２４及びヒューズ２７が前述した電子機器４に応じて、適宜変更される。このように、配線ユニット１２ａ，１２ｂ，１２ｃは、自動車の車種などに応じて変更される対応するシステムの電子機器４に応じて、適宜変更される。こうして、配線ユニット１２ａ，１２ｂ，１２ｃは、前述したヒュージブルリンク２３、リレー２４及びヒューズ２７を前述した電子機器４に応じて適宜変更することで、システムの電子機器４の変更に対応することができる。
【００７３】
さらに、前述した配線ユニット１２ａ，１２ｂ，１２ｃは、図９に示すように、取り付けるヒュージブルリンク２３とヒューズ２７の種類、品番に応じた種類のケース３３，４４を、複数の種類のケース３３，４４から選択するとともに、前述したヒュージブルリンク２３とヒューズ２７の種類、品番に応じた種類の端子３４，４５を、複数の種類の端子３４，４５から選択する。そして、前述した配線ユニット１２ａ，１２ｂ，１２ｃは、選択したケース３３，４４及び端子３４，４５を印刷配線板２２に取り付けて組み立てられる。
【００７４】
コネクタブロック１３は、平板状の平板部２８と、この平板部２８に一体に設けられた複数のコネクタ部２９とを備えている。平板部２８は、ケース７のケース本体１４の図１中手前側の開口部１６を塞ぐ格好で、ケース７のケース本体１４に取り付けられる。コネクタ部２９は、配線ユニット１２ａ，１２ｂ，１２ｃのコネクタ２５と、ワイヤハーネス２のコネクタ６と結合する。
【００７５】
コネクタブロック１３は、コネクタ部２９に配線ユニット１２ａ，１２ｂ，１２ｃのコネクタ２５とワイヤハーネス２のコネクタ６とを結合することで、ワイヤハーネス２と配線ユニット１２ａ，１２ｂ，１２ｃとを接続する。また、コネクタブロック１３は、コネクタ部２９に配線ユニット１２ａ，１２ｂ，１２ｃのコネクタ２５とワイヤハーネス２のコネクタ６とを結合することで、電源３と、ヒュージブルリンク２３と、リレー２４と、ヒューズ２７と、電子機器４とを電気的に接続する。
【００７６】
本実施形態によれば、端子３４，４５が、ヒュージブルリンク２３及びヒューズ２７の種類に対応して複数種類設けられており、これらの種類の端子３４，４５から選択して印刷配線板２２に取り付けることができる。端子３４，４５を変更することで、印刷配線板２２に取り付けるヒュージブルリンク２３及びヒューズ２７を容易に変更できる。したがって、印刷配線板２２に取り付けるヒュージブルリンク２３及びヒューズ２７の種類や品番を容易に変更できる。
【００７７】
また、ケース３３，４４が、ヒュージブルリンク２３及びヒューズ２７の種類に対応して複数種類設けられており、これらの種類のケース３３，４４から選択して印刷配線板２２に取り付けることができる。端子３４，４５にくわえケース３３，４４を変更することで、印刷配線板２２に取り付けるヒュージブルリンク２３及びヒューズ２７を容易に変更できる。したがって、印刷配線板２２に取り付けるヒュージブルリンク２３及びヒューズ２７の種類や品番を容易に変更できる。
【００７８】
係止部としての係止アーム３６，４７を係止受け部３１に係止させることで、任意の種類のケース３３，４４を印刷配線板２２に取り付けることができる。したがって、印刷配線板２２に取り付けるヒュージブルリンク２３及びヒューズ２７の種類や品番を確実に変更できる。
【００７９】
ケース３３，４４が少なくとも一つのヒュージブルリンク２３及びヒューズ２７を収容するので、ヒュージブルリンク２３及びヒューズ２７を印刷配線板２２に確実に取り付けることができる。
【００８０】
配線ユニット１２ａ，１２ｂ，１２ｃは、リレー２４と、ヒュージブルリンク２３及びヒューズ２７とを少なくとも一つずつ備えているので、確実に電力をヒュージブルリンク２３及びヒューズ２７に流してからリレー２４を通して電子機器４などに供給できる。
【００８１】
分配ユニット１１により分配された電力を各電子機器４に供給する配線ユニット１２ａ，１２ｂ，１２ｃが、自動車の各システムに対応して設けられている。このため、車種、グレード及びユーザなどの要望により電子機器４の変更のあるシステムに対応する配線ユニット１２ａ，１２ｂ，１２ｃのヒュージブルリンク２３、ヒューズ２７及びリレー２４などを変更することにより、前述した電子機器４の変更に対応することができる。
【００８２】
則ち、電子機器４の変更のあるシステムに対応した配線ユニット１２ａ，１２ｂ，１２ｃのみを変更することで、電子機器４の変更に対応することができる。したがって、電子機器４の変更による変更しなければならない部分を少なくすることができるので、電気接続箱１のコストの高騰を抑制できる。
【００８３】
配線ユニット１２ａ，１２ｂ，１２ｃが、各システムの電子機器４の変更により適宜変更されるので、前述した電子機器４の変更に確実に対応することができる。
【００８４】
ワイヤハーネス２と配線ユニット１２ａ，１２ｂ，１２ｃとを接続するコネクタブロック１３を備えているので、配線ユニット１２ａ，１２ｂ，１２ｃを確実に対応するシステムの電子機器４に接続することができる。
【００８５】
フィン１８を備えた放熱部材１５がケース７に一体に形成されているので、ケース７内の熱を放熱部材１５により電気接続箱１の外部に放熱できる。
【００８６】
前述した実施形態では、基板として所謂印刷配線板２２を用いている。しかしながら、本発明では、基板が、絶縁性の基板本体２６と、導電性の板金を打ち抜いて形成されかつ該基板本体２６に重ねられるバスバとを備えていても良い。このとき、バスバは、本明細書に記した導体パターン３０を構成する。
【００８７】
また、前述した実施形態では、端子３４，４５を導体パターン３０に半田などを用いたろう付けにより導体パターン３０に取り付けている。しかしながら、本発明では、例えば、ボルトとナットなどの他の手段を用いて、端子３４，４５を導体パターン３０に取り付けても良い。
【００８８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８９】
【図１】本発明の一実施形態にかかる電気接続箱の分解斜視図である。
【図２】図１に示された電気接続箱の一部の回線図である。
【図３】（ａ）は図１に示された電気接続箱の第１及び第３配線ユニットの平面図であり、（ｂ）は図３（ａ）に示された第１及び第３配線ユニットの側面図である。
【図４】図３（ａ）中のＩＶ−ＩＶ線に沿う断面図である。
【図５】図３（ａ）に示された第１及び第３配線ユニットの分解斜視図である。
【図６】（ａ）は図１に示された電気接続箱の第２配線ユニットの平面図であり、（ｂ）は図６（ａ）に示された第２配線ユニットの側面図である。
【図７】図６（ａ）中のＶＩＩ−ＶＩＩ線に沿う断面図である。
【図８】図６（ａ）に示された第２配線ユニットの分解斜視図である。
【図９】図３及び図６に示された配線ユニットの組立方法の概要を示す説明図である。
【符号の説明】
【００９０】
１  電気接続箱
３  電源
４  電子機器
７  ケース
１１  分配ユニット
１２，１２ａ，１２ｂ，１２ｃ  配線ユニット
２２  印刷配線板
２３  ヒュージブルリンク（保護素子）
２４  リレー
２６  基板本体
２７  ヒューズ（保護素子）
３０  導体パターン
３１  係止受け部
３３  リンク用ケース（素子用ケース）
３４  リンク用端子（接続部材）
３６  係止アーム
４４  ヒューズ用ケース（素子用ケース）
４５  ヒューズ用端子（接続部材）
４７  係止アーム
【図１】
2006129608.tif 000003
【図２】
2006129608.tif 000004
【図３】
2006129608.tif 000005
【図４】
2006129608.tif 000006
【図５】
2006129608.tif 000007
【図６】
2006129608.tif 000008
【図７】
2006129608.tif 000009
【図８】
2006129608.tif 000010
【図９】
2006129608.tif 000011